(57)【特許請求の範囲】
【請求項１】
混練槽の上部を覆うように配設した上部カバー体に、集塵機に接続した吸引ダクトを取り付け、混練槽内に舞い上がる粉塵を前記集塵機にて吸引除去するように構成されるミキサの監視用カメラ装置であって、筒状のカメラ保護ケースをミキサの上部カバー体に配設し、該カメラ保護ケースのミキサ側寄りに開閉シャッターを開閉自在に配設し、該開閉シャッターの後方のカメラ保護ケース側壁に外気取入口を穿設し、その後方のカメラ保護ケースに保護用ガラスを取り付けると共に、該保護用ガラス越しに監視用カメラを配設し、前記開閉シャッターを開放すると、ミキサ稼働中は絶えず稼働している集塵装置によって外気取入口より外気が取り込まれ、カメラ保護ケース内の空気が吸い出されるように構成したことを特徴とするミキサ監視用カメラ装置。
【発明の詳細な説明】
【０００１】
【発明の属する技術分野】
本発明は、各種材料を混練するミキサ内での材料の挙動を監視する装置に関する。
【０００２】
【従来の技術】
例えば、生コンクリート製造プラントにより生コンクリートを製造する場合、品質管理のためにミキサ内での生コンクリートの混ざり具合を監視する必要があり、この監視用にテレビカメラを用いられることが多い。従来のカメラ装置は、カメラの前面に保護用ガラスを配設して飛散する粉塵からカメラレンズを保護している。しかしながら、この保護用ガラス表面も汚れるために、実公平５−３２２５４公報に記載のように、保護用ガラス表面の汚れを除去するためにガラス表面に洗浄水を噴射したりしている。
【０００３】
【発明が解決しようとする課題】
しかしながら、前記従来のカメラ装置では、保護用ガラス表面に洗浄水の水滴が付着して鮮明な映像を映し出すことには問題がある。
【０００４】
本発明は上記の点に鑑み、鮮明な映像を映し出すミキサ監視用カメラ装置を提供することを課題とする。
【０００５】
【課題を解決するための手段】
本発明は上記課題を達成するために、混練槽の上部を覆うように配設した上部カバー体に、集塵機に接続した吸引ダクトを取り付け、混練槽内に舞い上がる粉塵を前記集塵機にて吸引除去するように構成されるミキサの監視用カメラ装置であって、筒状のカメラ保護ケースをミキサの上部カバー体に配設し、該カメラ保護ケースのミキサ側寄りに開閉シャッターを開閉自在に配設し、該開閉シャッターの後方のカメラ保護ケース側壁に外気取入口を穿設し、その後方のカメラ保護ケースに保護用ガラスを取り付けると共に、該保護用ガラス越しに監視用カメラを配設し、前記開閉シャッターを開放すると、ミキサ稼働中は絶えず稼働している集塵装置によって外気取入口より外気が取り込まれ、カメラ保護ケース内の空気が吸い出されるように構成したことを特徴としている。
【０００６】
【発明の実施の形態】
本発明のミキサ監視用カメラ装置によれば、材料をミキサへ投入する時にはカメラ保護ケースの開閉シャッターを閉塞状態として保護用ガラスが汚れないようしておき、投入が完了する頃に開閉シャッターを開放して撮影を開始する。この種ミキサにおいては飛散する粉塵を吸引除去する装置が設置されていることが多く、開閉シャッターを開放すると、カメラ保護ケースの側壁に穿設してある外気取入口より外気を取り込むために、カメラ保護ケース内に漂う粉塵を含む空気がミキサ内の上部空間を通過して吸引ダクト側へと吸引される。これによって、カメラ保護ケース内に漂う粉塵がなくなり、監視用カメラの視界は良好となって鮮明な映像を映し出す。
【０００７】
【実施例】
以下、本発明の実施例を図面に基づいて説明する。
【０００８】
図中の１はミキサであって、例えば、各種コンクリート材料を混練調整する二軸式ミキサにあっては、混練槽２に二本の平行な混練軸３を貫通し、相反する方向に回転自在に枢支し、混練軸３には半径方向に多数のアーム４を放射状に配設し、該アーム４の先端部には適宜角度を有したブレード５を取り付け、駆動用モータ（図示せず）により所定速度で回転させている。
【０００９】
６は混練槽２の上部を覆うように配設した上部カバー体であって、該上部カバー体６には各種材料をミキサ１に投入するための材料投入シュート７を配設すると共に、ミキサ１内に各種材料を投入した際に舞い上がる粉塵を吸引するための吸引ダクト８を取り付け、該吸引ダクト８はミキサ１近傍に配設された集塵機９に接続されている。
【００１０】
また、上部カバー体６にはミキサ１内部を見通せる開口１０を穿設すると共に、該開口１０に筒状のカメラ保護ケース１１を配設し、このカメラ保護ケース１１を通してミキサ１内を撮影する監視用カメラ１２を支持材１３上に設置している。
【００１１】
前記カメラ保護ケース１１の上端部には監視用カメラ１２のレンズ１４を保護する保護用ガラス１５を取り付けており、該保護用ガラス１５越しにカメラ撮影をするようにしている。
【００１２】
また、保護用ガラス１５の前方のカメラ保護ケース１１内には一端部をヒンジ構造とし、シリンダ１６により開閉自在とした開閉シャッター１７を配設している。
【００１３】
また、保護用ガラス１５と開閉シャッター１７の間のカメラ保護ケース１１側壁には適宜大きさの外気取入口１８を穿設している。
【００１４】
しかして、ミキサ１にて材料を混練する場合、各種材料を材料投入シュート７から投入する時には、開閉シャッター１７を閉塞状態にしておき、発生する粉塵から保護用ガラス１５を保護する。
【００１５】
そして各種材料の投入が完了した頃にシリンダ１６を動作させて開閉シャッター１７を開放する。集塵装置９はミキサ稼動中は絶えず稼動しており、開閉シャッター１７が開放されると、これに伴ってカメラ保護ケース１１の側壁に穿設してある外気取入口１８より外気を取り込みながらカメラ保護ケース１１内に漂う粉塵を含む空気をミキサ１内の吸引ダクト８側へと吸い込んでいく。
【００１６】
これによって、カメラ保護ケース１１内に漂う粉塵は素早く取り除かれ、監視用カメラ１２の視界は粉塵に遮られることなく良好に確保され、ミキサ１内の鮮明な映像を映し出すことができる。
【００１７】
【発明の効果】
以上のように、本発明に係るミキサ監視用カメラ装置にあっては、混練槽内に舞い上がる粉塵を集塵機にて吸引除去するように構成されるミキサに採用されるもので、筒状のカメラ保護ケースをミキサの上部カバー体に配設し、該カメラ保護ケースのミキサ側寄りに開閉シャッターを開閉自在に配設し、該開閉シャッターの後方のカメラ保護ケース側壁に外気取入口を穿設し、その後方のカメラ保護ケースに保護用ガラスを取り付けると共に、該保護用ガラス越しに監視用カメラを配設したので、前記開閉シャッターを開放すると、ミキサ稼働中は絶えず稼働している集塵装置によって外気取入口より外気が取り込まれてカメラ保護ケース内の空気が吸い出されるため、カメラレンズが汚れることはなく、また撮影時にはカメラ保護ケース内に漂う粉塵を素早く取り除くことができて監視用カメラの視界が良好となって鮮明な映像を映し出すことができる。
【図面の簡単な説明】
【図１】本発明に係るミキサ監視用カメラ装置の一施例を示す一部切り掻き概略説明図である。
【図２】図１の要部拡大図である。
【図３】図２の一部省略斜視図である。
【符号の説明】
１…ミキサ                      ６…上部カバー体
１１…カメラ保護ケース          １２…監視用カメラ
１５…保護用ガラス              １７…開閉シャッター
１８…外気取入口
【図１】
0004084890.tif 000002
【図２】
0004084890.tif 000003
【図３】
0004084890.tif 000004